(57)【要約】【課題】紙を主体とした情報入出力装置において、紙以外の他の媒体への出力も可能とした新規な構成の情報入出力装置を提案し、該情報入出力装置において、紙以外の他の媒体への出力も可能とした他の新規な構成の情報入出力装置を提案することにある。【解決手段】  読み取り部３にて読み取られた（走査された）画像は、画像形成部１にて形成され、形成された画像が給紙部２から給紙された紙媒体に定着される。そして、紙媒体への出力の際に、光ディスクドライブユニット８５にて、メディアストック部８６から搬送、設置された未使用の記憶メディアに該画像情報を記録する。そして、光メモリ用専用インクジェット記録部９０にて、光メモリ等の記憶メディアの表面に、所望の情報を書き込む。【選択図】図１３
2006198792.tif 000002
【特許請求の範囲】
【請求項１】
情報の入力部と処理部と記憶部と出力部とよりなり、それらの間で情報のやりとりを行うとともに前記各部を１箇所に集中して構成した情報入出力装置であって、前記出力部はカールソンプロセス原理による手段と光メモリに所望の情報を書き込む手段である情報入出力装置において、前記光メモリの表面に記録を行うためのインクジェット原理による記録手段を有するとともに、該記録手段は前記光メモリに所望の情報を書き込む出力部から離れたところで前記記録を行う手段であることを特徴とする情報入出力装置。
【請求項２】
情報の入力部と処理部と記憶部と出力部とよりなり、それらの間で情報のやりとりを行うとともに前記各部を１箇所に集中して構成した情報入出力装置であって、前記出力部はカールソンプロセス原理による手段とインクジェット原理による手段と光メモリに所望の情報を書き込む手段である情報入出力装置において、前記光メモリの表面に記録を行うための第２のインクジェット原理による記録手段を有するとともに、該記録手段は前記光メモリに所望の情報を書き込む出力部から離れたところで前記記録を行う手段であることを特徴とする情報入出力装置。
【請求項３】
前記光メモリは、非可逆性メモリであることを特徴とする請求項１もしくは２に記載の情報入出力装置。
【請求項４】
前記光メモリに書き込みを行うピックアップユニットは着脱可能であることを特徴とする請求項１乃至３のいずれか１に記載の情報入出力装置。
【発明の詳細な説明】
【技術分野】
【０００１】
本発明は、情報入出力手段に関するものであり、特に、情報の出力媒体として紙メディアを使用するとともに、その他に別の情報の出力手段、媒体を具備する情報入出力手段に関するものである。
【背景技術】
【０００２】
近年、複写機はデジタル化の波に乗り、従来の単に文書の複写を行うといういわゆる複写機としての機能の他にスキャナ機能、ファックス機能、プリンタ機能等を備えたデジタル複合機、ＭＦＰ（マルチファンクションプリンタ、マルチファンクションペリフェラル）として進化してきている（例えば、特許文献１参照。）。それにともない、このようなデジタル複合機、ＭＦＰもコンピュータネットワークに組み込まれ、扱う情報もいわゆる電子データとしてネットワーク内を駆け巡る時代となってきている。さらに、このような電子データの特質を生かし、大量の文書データを保管するファイリング機能も備えた装置としての側面も持つようになってきている（例えば、特許文献２参照。）。
【０００３】
このようにコンピュータあるいはネットワークシステムの進化により、全てのデータは電子データとして便利に活用できる反面、従来ながらの紙文書もその読み易さ、手触りの良さがあり、その需要は衰えていない。また、このような時代においては、データの送受信もネットワークを介して行われるのが一般的ではあり、前述のＭＦＰの例でいうならば、スキャナによる読み取り情報を紙出力するのみならず、メイル受信することもシステム的に可能である（例えば、特許文献３参照。）。
【特許文献１】特開２００２−２０２８７０号公報
【特許文献２】特開２００２−０２７１９２号公報
【特許文献３】特開２００３−３３７６８２号公報
【発明の開示】
【発明が解決しようとする課題】
【０００４】
一方で、このような情報のやりとりが目に見えないようなネットワーク網による配信以外に、受け取りの確実性を望む需要もある。
本発明は、このような実情に鑑みてなされたもので、その第１の目的は、紙を主体とした情報入出力装置において、紙以外の他の媒体への出力も可能とした新規な構成の情報入出力装置を提供することにある。
【０００５】
第２の目的も、紙を主体とした情報入出力装置において、紙以外の他の媒体への出力も可能とした他の新規な構成の情報入出力装置を提供することにある。
【０００６】
第３の目的は、このような情報入出力装置の紙以外の他の出力媒体の具体的構成を提供することにある。
【０００７】
第４の目的は、このような情報入出力装置の紙以外の出力媒体である光メモリに出力する手段の特徴的な構成を提供することにある。
【課題を解決するための手段】
【０００８】
本発明は、前記目的を達成するために、
第１の発明は、情報の入力部と処理部と記憶部と出力部とよりなり、それらの間で情報のやりとりを行うとともに前記各部を１箇所に集中して構成した情報入出力装置であって、前記出力部はカールソンプロセス原理による手段と光メモリに所望の情報を書き込む手段である情報入出力装置において、前記光メモリの表面に記録を行うためのインクジェット原理による記録手段を有するとともに、該記録手段は前記光メモリに所望の情報を書き込む出力部から離れたところで前記記録を行う手段であるようにした。
【０００９】
第２の発明は、情報の入力部と処理部と記憶部と出力部とよりなり、それらの間で情報のやりとりを行うとともに前記各部を１箇所に集中して構成した情報入出力装置であって、前記出力部はカールソンプロセス原理による手段とインクジェット原理による手段と光メモリに所望の情報を書き込む手段である情報入出力装置において、前記光メモリの表面に記録を行うための第２のインクジェット原理による記録手段を有するとともに、該記録手段は前記光メモリに所望の情報を書き込む出力部から離れたところで前記記録を行う手段であるようにした。
【００１０】
第３の発明は、上記第１もしくは第２の発明において、前記光メモリは、非可逆性メモリであるようにした。
【００１１】
第４の発明は、上記第１乃至第３のいずれか１の発明において、前記光メモリに書き込みを行うピックアップユニットは着脱可能であるようにした。
【発明の効果】
【００１２】
第１の発明によれば、情報の入力部と処理部と記憶部と出力部とよりなり、それらの間で情報のやりとりを行うとともに前記各部を１箇所に集中して構成した情報入出力装置であって、前記出力部はカールソンプロセス原理による手段と光メモリに所望の情報を書き込む手段である情報入出力装置において、前記光メモリの表面に記録を行うためのインクジェット原理による記録手段を有するとともに、該記録手段は前記光メモリに所望の情報を書き込む出力部から離れたところで前記記録を行う手段であるようにしたので、紙メディアへの情報の出力（いわゆるプリントアウト）を行うことができるとともに、そのデータ内容を光メモリにも出力できるようになり、電子データの保管、移動などもできるようになった。
【００１３】
さらに、情報の入力部と処理部と記憶部と出力部とが、１箇所に集中して構成されているので、上記出力された紙メディアならびに光メモリは同じ場所でそれを手に入れることができ、使用上大変便利である。
【００１４】
また、インクジェット原理による手段によって前記光メモリの表面に記録を行うようにしたので、この光メモリの識別情報などを簡単に記録でき、目に見えない光メモリ内部に記憶されている情報などの区別ができるようになった。
【００１５】
さらに、インクジェット原理という非接触記録なので、光メモリの形状、大きさなどに依存することなく、あらゆる形状、タイプの光メモリの表面に識別情報などが記録できるようになった。
【００１６】
また、このインクジェット原理による識別情報などの記録は、光メモリに所望の情報を書き込む出力部から離れたところで記録を行うようにしているので、インクのような液体によって、書き込む出力部（ピックアップユニットおよびその制御、電装系）が破損したりするということが皆無となった。
【００１７】
第２の発明によれば、情報の入力部と処理部と記憶部と出力部とよりなり、それらの間で情報のやりとりを行うとともに前記各部を１箇所に集中して構成した情報入出力装置であって、前記出力部はカールソンプロセス原理による手段とインクジェット原理による手段と光メモリに所望の情報を書き込む手段である情報入出力装置において、前記光メモリの表面に記録を行うための第２のインクジェット原理による記録手段を有するとともに、該記録手段は前記光メモリに所望の情報を書き込む出力部から離れたところで前記記録を行う手段であるようにしたので、紙メディアへの情報の出力（いわゆるプリントアウト）を行うことができるとともに、そのデータ内容を光メモリにも出力できるようになり、電子データの保管、移動などもできるようになった。
【００１８】
さらに、情報の入力部と処理部と記憶部と出力部とが１箇所に集中して構成されているので、上記出力された紙メディアならびに光メモリは同じ場所でそれを手に入れることができ、使用上大変便利である。
【００１９】
また、紙メディアへの情報の出力手段を２種類有しているので、出力文書の特性に合わせてどちらかの出力手段を選択したり、あるいは両方の出力手段を協同使用してその文書出力にとって、経済性、生産性、画質対費用等の観点から最も適切な出力形態を組み合わせることができるようになった。
【００２０】
さらに、第２のインクジェット原理による手段によって前記光メモリの表面に記録を行うようにしたので、この光メモリの識別情報などを簡単に記録でき、目に見えない光メモリ内部に記憶されている情報などの区別ができるようになった。
【００２１】
また、インクジェット原理という非接触記録なので、光メモリの形状、大きさなどに依存することなく、あらゆる形状、タイプの光メモリの表面に識別情報などが記録できるようになった。
【００２２】
さらに、このインクジェット原理による識別情報などの記録は、光メモリに所望の情報を書き込む出力部から離れたところで記録を行うようにしているので、インクのような液体によって、書き込む出力部（ピックアップユニットおよびその制御、電装系）が破損したりするということが皆無となった。
【００２３】
第３の発明によれば、このような情報入出力装置において、前記光メモリは、非可逆性メモリであるようにしたので、上記効果に加え、消耗品としての記憶メディア１個あたりの値段が安く、大変経済的な情報入出力装置とすることができるとともに、書き込まれた情報の改ざんを防止できるようになった。
【００２４】
第４の発明によれば、このような情報入出力装置において、前記光メモリに情報の書き込みを行うピックアップユニットは着脱可能であるようにしたので、上記効果に加え、このようなピックアップユニットのレーザダイオードの寿命がきた場合に、ピックアップユニットのみを交換することによって、引き続き、記憶メディアに所望の情報を書き込む手段（ドライブ装置）や情報入出力装置本体を使用できるので大変経済的な情報入出力装置とすることができた。
【００２５】
また、本発明の情報入出力装置は、カールソンプロセス原理やインクジェット原理を使用し、紙へ出力するため、その紙粉やトナー、インクなどが常時装置内、あるいは装置近傍に漂っている環境にある。よって、このようなピックアップユニットのレンズ等の光学系は汚れやすいが、ピックアップユニットを着脱可能としているので、その清浄化、あるいは、交換が簡単にできるようになった。
【発明を実施するための最良の形態】
【００２６】
以下に、本発明のシステムの実施の形態について説明する。なお、以下に示す実施の形態は例示であり、これに限定されるものではない。
図１、図２は本発明のシステムに好適に適用される紙に代表されるシート状部材に色材を付与する代表例としての電子写真複写装置である。
【００２７】
図１は、電子写真原理（カールソンプロセス）のエンジン部（画像形成部）を示したものであり、ここでは潜像担持体としての感光体ドラムをタンデム配列した乾式２成分現像方式のフルカラー作像装置の画像形成部を示している。
【００２８】
図２は、全体を示す図で、図２において、４連タンデム型のカラー画像形成装置ＭＦＰ（マルチファンクションプリンタ、マルチファンクションペリフェラル）のほぼ中央に画像形成部１が配置され、この画像形成部１のすぐ下方には給紙部２が配置され、給紙部２には各段に給紙トレイ２１が設けられている。また、画像形成部１の上方には、原稿を読み取る読み取り部３が配設されている。画像形成部１の用紙搬送方向下流側（図示左側）には排紙収納部、所謂排紙トレイ４が設けられ、排紙された画像形成済みの記録紙が積載される。
【００２９】
画像形成部１では、図１に示すように、無端状のベルトからなる中間転写ベルト５の上方に、イエロー（Ｙ）、マゼンタ（Ｍ）、シアン（Ｃ）、ブラック（Ｋ）用の複数の作像部６（６Ｙ，６Ｍ，６Ｃ，６Ｋ）が並置されている。なお、図１では、各部の符号の後ろに色を表すＹ、Ｍ、Ｃ、Ｋを付けて各色の作像部を区別している。各々の作像部６では、各色毎に設けられたドラム状の感光体６１の外周に沿って、帯電装置６２、露光部６５、現像装置６３、感光体クリーニング装置６４などが配置されている。帯電装置６２は、感光体６１の表面に帯電処理を行い、露光部６５では、画像情報を感光体６１の表面にレーザ光で照射する露光装置７からのレーザ光が照射される。現像装置６３は、感光体６１の表面に露光されて形成された静電潜像をトナー現像して可視化し、感光体クリーニング装置６４は転写後に感光体６１の表面に残留したトナーを除去回収する。
【００３０】
作像プロセスとしては、中間転写ベルト５上に各色毎の画像が作像され、中間転写ベルト５上に４色が重畳されて１つのカラー画像が形成される。その際、最初に、イエロー（Ｙ）の作像部で、イエロー（Ｙ）のトナーを現像し、中間転写ベルト５に１次転写装置６６によって転写する。次に、マゼンタ（Ｍ）の作像部で、マゼンタのトナーを現像し、中間転写ベルト５に転写する。次に、シアン（Ｃ）の作像部で、シアンのトナーを現像し、中間転写ベルト５上に転写し、最後に、ブラック（Ｋ）のトナーを現像し、中間転写ベルト５上に転写し、４色が重畳されたフルカラーのトナー画像が形成される。そして、中間転写ベルト５上に転写された４色のトナー像は、給紙部２から給紙されてきた記録紙２０に２次転写装置５１で転写され、定着装置８によって定着された後、排紙ローラ４１によって排紙トレイ４に排紙され、あるいは、両面装置９に搬送される。
【００３１】
両面印刷時は、搬送経路は分岐部９１で分岐され、両面装置９を経由して、記録紙２０は反転される。そして、レジストローラ２３で用紙のスキューが補正され、表面への画像形成動作と同様にして裏面への画像形成動作が行われる。一方、フルカラーのトナー像が転写された後、中間転写ベルト５の表面に残留したトナーは中間転写ベルトクリーニング装置５２によって除去回収される。なお、符号９２は両面装置９からの反転排紙経路である。
【００３２】
給紙部２は、給紙トレイ２１に未使用の記録紙２０が収容されており、最上位の記録紙２０がピックアップローラ２５に当接する位置まで、一端が給紙トレイ２１の底部に揺動可能に支持された底板２４の他端を上昇させる。そして、給紙ローラ２６の回転により、最上位の記録紙２０はピックアップローラ２５によって給紙トレイ２１から引き出され、給紙ローラ２６によって縦搬送路２７を介してレジストローラ２３側へと搬送される。レジストローラ２３は記録紙２０の搬送を一時止め、中間転写ベルト５上のトナー像と記録紙２０の先端との位置関係が所定の位置になるよう、タイミングをとって記録紙２０を送り出す。レジストローラ２３は前記縦搬送路２７からの記録紙２０の他に、手差しトレイ８４から搬送されてくる記録紙２０に対しても同様に機能する。なお、図２中、符号８１は分岐爪、符号８２はジャム紙排紙トレイであり、縦搬送路２７の下流側でジャムが生じたときに分岐爪８１が作動してジャム紙排紙トレイ８２に用紙を導出する機能を有する。
【００３３】
読み取り部３では、コンタクトガラス３１上に載置される原稿（不図示）の読み取り走査を行うために、原稿照明用光源とミラーを搭載した第１及び第２の走行体３２、３３が往復移動する。この走行体３２、３３により走査された画像情報は、レンズ３４によって後方に設置されているＣＣＤ３５の結像面に集光され、ＣＣＤ３５によって画像信号として読み込まれる。この読み込まれた画像信号は、デジタル化され画像処理される。そして、画像処理された信号に基づいて、露光装置７内のレーザダイオードＬＤ（不図示）の発光により感光体６１の表面に光書き込みが行われ、静電潜像が形成される。ＬＤからの光信号は、公知のポリゴンミラーやレンズを介して感光体６１に至る。また、読み取り部３の上部には、原稿を自動的にコンタクトガラス上に搬送する自動原稿搬送装置３６が取り付けられている。
【００３４】
なお、本実施形態に係るカラー画像形成装置ＭＦＰ（マルチファンクションプリンタ、あるいはマルチファンクションペリフェラルともいう）は、前述のように、光走査して原稿を読み取り、デジタル化して用紙に複写する、いわゆる、デジタルカラー複写機としての機能の他に、図示しない制御装置により原稿の画像情報を遠隔地と授受するファクシミリの機能や、コンピュータが扱う画像情報を用紙上に印刷するいわゆるプリンタの機能を有する多機能の画像形成装置である。
【００３５】
これは、この装置単独でこのような機能を持たせているが、後述するように、ネットワークに接続されサーバ管理のもとに、他の各種装置（スキャナ、各種プリンタ、光ディスクドライブ、ハードディスクドライブ等）と協同動作させるシステムとすることも可能である。
【００３６】
次に、紙に代表されるシート状部材に色材を付与するもう１つの代表例としてのインクジェット記録原理を簡単に説明する。
いわゆるインクジェット記録と呼ばれているものは、その原理によって種々の方法が存在するが、ここでは、その一例として、熱を利用するサーマルインクジェット方式で説明する。なお、ここでは、サーマルインクジェット方式によって説明するが、他のピエゾを利用したオンデマンド方式、あるいは、荷電制御型とよばれるいわゆる連続流型のインクジェットであっても本発明に好適に利用できることはいうまでもない。
【００３７】
図３は、インクジェットヘッドユニットの一例を説明するための図で、図３（ａ）は全体斜視図、図３（ｂ）は分解斜視図である。このヘッドユニット６７は、直径１０μｍ〜３０μｍ（丸ではなく他の形状の場合、その開口は面積換算で１００μｍ2〜７００μｍ2程度）の微細なインクを噴射するノズルを有したヘッドチップ６８と、そこにインクを供給するためのインク容器部７０とを一体的に形成したものである。ヘッドチップ６８は、ＦＰＣ（フレキシブルプリントサーキット）６９に接続され、ＦＰＣに設けられた電気接点をキャリッジ側の接点（図示せず）と接触することにより、プリンタ本体側より電気信号を受け取り、インクを噴射して記録を行うようになっている。７１は裏蓋、７２はインク吸収体で、インク吸収体７２は、インクを含浸させたスポンジであり、キャリッジが移動して振動しても、容器内部でインク中に泡が発生するようなことはないような構成となっている。インク吸収体７２に含浸されているインクを使いきった時点で、このヘッドユニット全体を交換するようなっている。
【００３８】
次に、図４（ａ）〜図４（ｅ）を参照しながらインクの噴射原理について説明する。図４（ａ）〜図４（ｅ）は、サーマルインクジェト方式においては吐出口の近傍を断面図で示したものである。図４（ａ）は定常状態であり、吐出口部でインク１０の表面張力と外圧とが平衡状態にある。図４（ｂ）は発熱体１１が加熱されて該発熱体１１の表面温度が急上昇し、隣接インク層に膜沸騰現象が生じ、沸騰膜を作り、気泡１２が成長した状態である。この時、吐出口部の圧力は、気泡の成長した分だけ上昇し、外圧とのバランスがくずれ、吐出口よりインク１０の柱（インク柱）が成長しはじめる。図４（ｃ）は気泡１２が最大に成長した状態であり、吐出口部からインク１０の柱（インク柱）が押し出される。この時、発熱体１１には電流が流れていない状態にあり、発熱体１１の表面温度は降下しつつある。気泡１２の体積の最大値は電気パルス印加のタイミングからややおくれる。
【００３９】
図４（ｄ）は、気泡１２がインクなどにより冷却されて収納した状態を示す。インク１０の柱（インク柱）の先端部では、押し出された速度を保ちつつ前進し、後端部では気泡１２の収縮にともない吐出口内圧の減少によりインクが逆流し、インク１０の柱（インク柱）の根本がくびれ、その後、くびれ部から切断されて、インク滴１３となって空中に飛翔する。吐出口部では、外圧が吐出口内圧より高い状態になるため、メニスカスが大きく吐出口内に入りこんできている。インク滴１３の先端部は８〜１８ｍ／ｓの速度をもち、記録紙の方向に飛翔する。図４（ｅ）は吐出口部にインクが毛細管現象により再び供給（リフィル）されて、図４（ａ）の状態にもどる過程で気泡は完全に消滅している。
【００４０】
なお、このような原理の他に、発熱体の駆動制御の仕方や吐出口部のディメンションを選び発生した気泡１２によって、気泡１２の前方にあるインクをほぼ全部吐出口の外に押し出す方式も可能である。その場合、前記の方式に比べ、気泡１２の収縮にともなうインクの逆流、インク１０の柱（インク柱）の根本がくびれという現象がない分、１吐出口あたりのインク滴形成頻度（駆動周波数）を１５ｋＨｚ〜５０ｋＨｚというように高くでき、印写スピードを上げられるというメリットがある（前述の方式では５ｋＨｚ〜１２ｋＨｚ程度が安定駆動できる範囲）。
【００４１】
以上のような原理、構成のインクジェットヘッドは、イエロー（Ｙ）、マゼンタ（Ｍ）、シアン（Ｃ）の３色ないしは、それにブラック（Ｂ）を加えた４色の印写を行えるように、図５に示すようなキャリッジに搭載され、紙面の前をシリアル連動をしながら記録を行う。
【００４２】
図５において、７３は記録紙、７４はインクジェットヘッドユニットであり（図３に示したヘッドユニットを４色分ならべたものである。ただし、図の形状は一致していない）、７４Ｙ、７４Ｍ、７４Ｃ、７４Ｂはそれぞれ、イエロー（Ｙ）、マゼンタ（Ｍ）、シアン（Ｃ）、ブラック（Ｂ）を印写できるようになっている。７５は各ヘッドのノズル、７６はキャリッジ、７７はキャリッジのガイドロッド、７８はキャリッジを移動させるためのネジ棒、７９は記録紙搬送ローラ、８０は記録紙押えコロである。
【００４３】
以上の説明により、本発明のシート状部材に色材を付与する手段として、電子写真原理、インクジェット原理の出力手段を説明したが、図６に、この両者を組み合わせた例を示す。図６において、８７は給紙カセット、８８はインクジェット記録部、８９インクジェット記録排紙トレイである。
【００４４】
本発明では、出力文書等の種類、性質によって、これら２つの出力手段を単独で使用したりあるいは協同使用したりする。
【００４５】
協同使用の場合、例えば、文書の中に一部のみカラー領域があるというような文書出力などに特に好適に使用できる。つまり、モノクロ部分を高速出力を得意とする電子写真原理で出力し、その後、一部のカラー部分のみをインクジェット原理で出力するという使用法である。一般オフィスでよく利用される文書は、黒文字（モノクロ）が主流で、部分的にカラーのグラフ、図、あるいは、写真などが挿入されているような黒文字とカラーのグラフ、図等の混在文書である。そのような文書を効率よく記録するために、黒文字を出力する際には、電子写真原理を利用し、カラーの図を出力する際には、Ｙ、Ｍ、Ｃ（必要ならばＢ）のインクを利用するインクジェット原理を利用する。
【００４６】
ここで、電子写真技術は、一般にページ記録タイプであり、いわゆる、感光体ドラムと呼ばれる像担持体は、そのドラムの幅（長さ）は、記録紙の幅と同等あるいはそれ以上であり、その記録速度は１分間に２０枚〜１００枚という能力をもっている。従って、黒文字が多くを占めるオフィス文書を大量に処理（出力）するのに大変都合がよい。
【００４７】
一方、インクジェット原理の場合、比較的簡単な構成でカラー出力ができる。しかも、電子写真原理の場合のように、感光体ドラムの幅によってある程度出力できる紙のサイズが限定されるが、インクジェット原理の場合は、そのような限定要因はなく、大判の紙（Ａ０〜Ａ２）や、バナー状の長い用紙への出力が可能である。
【００４８】
なお、必ずしもこの使用法に限定されるものではなく、電子写真原理で、カラー出力をしてもいいことはいうまでもない。あるいは、インクジェット原理でモノクロ出力をしてもいい。
【００４９】
図７は、このような本発明のシステムの一例であり、紙などの記録媒体に印字を行うプリンタ部の電気信号を処理する部分の構成、光メモリへの情報書き込み部の電気信号を処理する部分の構成、スキャナからの情報取り込み部の電気信号を処理する部分の構成などを詳細に示したものである。
【００５０】
図７において、３０１はＣＰＵで、プリンタの各部の制御を行うためのものである。３０２はＲＡＭであり、前記ＣＰＵが演算した結果や、プリンタなどが扱う画像データなどを一時的に記憶しておくためのものである。３０３はＲＯＭであり、前記ＣＰＵが動作するためのプログラムや、画像データを生成するためのフォントデータなどが格納されている。
【００５１】
３０４は、前記ＣＰＵ、ＲＡＭ、ＲＯＭが接続されているローカルバスである。３０５はＩ／Ｏバスであり、機能拡張用の内部Ｂｕｓである。３０６は前記ローカルバスとＩ／Ｏバスを接続するためのブリッジ回路である。
【００５２】
３０７はプリンタ部で、紙などの記録媒体に画像を形成するための部分である。
このプリンタ部は、前記のような電子写真原理（カールソンプロセス）による作像方式以外にインクジェット方式（サーマル、ピエゾ等）などさまざまな形式のプリンタ部が存在する。３０８はプリンタインターフェース部であり、前記プリンタ部とＩ／Ｏバスを接続するためのものであり、ＣＰＵ３０１の指示に従ってＲＡＭ３０２に格納されている画像データをプリンタ部３０７へ転送することが可能である。
【００５３】
なお、ここでは、プリンタインターフェース部３０８とプリンタ部３０７として示しているが、電子写真原理（カールソンプロセス）とインクジェット原理の２つの出力装置を具備する場合、さらには、それら以外の出力装置をも具備する場合、これらプリンタインターフェース部およびプリンタ部はそれぞれ複数個存在する。
【００５４】
３０９は光ディスクドライブであり、光ディスク（メモリ）から情報を読み取ったり、光ディスク（メモリ）に情報を書き込んだりするための部分である。３１０は光ディスクドライブインターフェース部であり、前記光ディスクドライブとＩ／Ｏバスを接続するためのものであり、ＣＰＵの指示に従って、前記光ディスクドライブから転送される電子データを、３０２のＲＡＭに転送したり、ＲＡＭから光ディスクドライブへ転送することが可能である。
【００５５】
３１１はスキャナ部で、不図示の原稿台に置かれた原稿から読み取った光学的な信号を、ＣＣＤなどを用いて電子データに変換し、その電子データを転送するための部分である。３１２はスキャナインターフェース部であり、前記スキャナ部３１１とＩ／Ｏバス３０５を接続するためのものであり、ＣＰＵ３０１の指示に従って、前記スキャナ３１１から転送される原稿を読み取った電子データを、ＲＡＭ３０２に転送することが可能である。
【００５６】
３１４はＩＤＥインターフェース部、３１３はハードディスクドライブであり、画像データのスプールを行ったり、ＣＰＵ３０１がさまざまな処理を行うためのプログラムなどを格納させておくためのものである。
【００５７】
３１５はネットワークインターフェースコントローラであり、ローカルエリアネットワークへ接続するために使用される。３１６はイメージプロセッシングユニット（以下ＩＰＵ）であり、解像度変換などの画像処理を行うためのものである。３１７はラスタイメージプロセッサであり、３０１のＣＰＵの指示により、３１５のネットワークインターフェースコントローラを経由して外部から転送されたページ記述言語の画像データをビットマップ画像へ展開し、３０２のＲＡＭへ展開したビットマップデータを格納するために使用される。
【００５８】
３１８はビデオＲＡＭで、ＣＰＵ３０１により外部のＣＲＴやＬＣＤパネルに表示した表示データが書き込まれるものである。３１９はビデオインターフェース部であり、ＶＲＡＭに格納されている表示データを外部のＣＲＴやＬＣＤパネルに表示するためのインターフェースをするためのものである。３２０は拡張Ｉ／Ｏインターフェース部であり、たとえば、携帯機器などと３０１のＣＰＵが通信などを行うためのインターフェース回路である。通信形態はシリアル通信や、バイセントロインターフェース、または、Ｂｌｕｅｔｏｏｔｈなどの無線通信などの形式がある。
【００５９】
以上の説明より明らかなように、本発明においては、情報の入力部と処理部と記憶部と出力部とよりなり、これらの各部あるいは各種装置は、無線、有線、光伝送等によってネットワーク接続されて情報のやりとりが行われる。また、それぞれの装置は分散配置することができるが、必要に応じて、各部あるいは各種装置を１箇所に集中、配置して構成してもよい。
【００６０】
ここで補足しておくが、本発明でいう情報の入力部とは、単にスキャナ部のみならずＩ／Ｏインターフェース部、さらには説明を省略しているがキーボードやタッチパネルあるいはイメージキャプチャーデバイス等の情報入力手段も含むものである。また、処理部あるいは記憶部に関しても、それの意味するところは、デバイスあるいはデバイスユニットとしてのＣＰＵ、ＲＡＭ、ＲＯＭはいうに及ばず、ネットワークシステムに組み込まれたＰＣ、サーバなども含むものである。出力部も同様に、Ｉ／Ｏインターフェース部、情報表示のディスプレイ、各種プリンタ、ストレージ／メモリ等への情報書き込み装置も含むものである。
【００６１】
前述のように、本発明のシステムは分散あるいは１箇所に集中させて構成できるが、さらに、上記画像形成装置ＭＦＰ（マルチファンクションプリンタ、マルチファンクションペリフェラル）内部に所望の装置やサーバ機能、大容量のメモリを搭載、配置するようにするのも好適な構成である。すなわち、このようなネットワークシステム全体、あるいはその機能を凝縮した形でＭＦＰという１台のマシン内部に一体的に構成することにより、全ての作業がＭＦＰ１台でできてしまうという画期的な情報入出力装置が実現する。
【００６２】
図８は、その１例であり、紙への出力手段として電子写真原理およびインクジェット原理を有するＭＦＰに、光ディスクドライブを組み込んだ構成である。図８中、８５は光ディスクドライブユニット、８６は未使用のメディアストック部である。
【００６３】
使用方法は、例えば、マイクロソフト社のＷｏｒｄファイル、ＥＸＣＥＬファイル、ＰｏｗｅｒＰｏｉｎｔファイルなど、あるいは、アドビ社のＰＤＦファイルに変換したものなどのファイルデータをＭＦＰ内部のメモリに保存し、必要に応じて紙出力する。またそのファイルデータを組み込まれた光ディスクドライブユニット８５を使用し、メディアストック部８６から搬送、設置された未使用のＤＶＤ−Ｒ、あるいはＤＶＤ−ＲＷ等に焼く（ｂｕｒｎ）ことにより、電子データとして持ち運びできる光ディスク（可搬性ストレージ）を作成する。なお、これら紙文書の出力と光ディスクの作成は、（ほぼ）同時に行ってもよいし、必要に応じて一方だけ（紙文書のプリントアウト、あるいは光ディスクの作成）行ってもよい。
【００６４】
このような本発明のＭＦＰは、前述のように、これ１台で、完結した機能を持っているが、前述のように、このＭＦＰも、ローカルエリアネットワークを介して、インターネットなどの通信網に接続し、ネットワークの１端末という使い方をしてもよい。
【００６５】
インターネットなどの通信網上には、各種のサーバが接続されており、情報の検索を行う検索サーバ、または、電子データなどを蓄積し、ユーザからの要求によって内部に保持している電子データを配信するなどのサービスを行える配信サーバ、さらに、携帯電話などの携帯機器に対して各種サービスや、課金の制御を行える携帯機器のためのサービスを行うサーバなどがある。
【００６６】
本発明のＭＦＰは、ユーザが所定の操作を行うことによりインターネットなどの通信網を介して、検索サーバに情報の問い合わせを行うことも可能であり、また、検索サーバから受信したデータをＭＦＰにてプリントアウトしたり、可搬性の記憶メディア、ストレージに情報記録、記憶を行うことなども可能である。
【００６７】
図９〜図１２は、本発明の光ディスクドライブユニットに情報を書き込まれる前の光ディスクメディアを供給、搬送する手段を説明する図である。
本発明においては、情報を書き込まれる前の光ディスクメディアは複数枚ストックされており、必要に応じて１枚ずつ光ディスクドライブユニットに運ばれ、情報書込みが行われる。
【００６８】
図９は、本発明の光ディスクメディアを複数枚（この例では７枚）ストックされたマガジン１００を示しており、このマガジン１００はマガジン表面に表示された三角形の方向表示印１０１を矢印Ａの方向に向けて、図１０に示すように、光ディスクドライブユニット１０９に矢印Ａの方向に挿入される。
【００６９】
図１１は、挿入された後の光ディスクメディア１０３を図１０に図示した光ディスクドライブユニット１０９の書き込み部１１０に搬送する動作を説明するための図であり、搬送トレイ１０２に搭載された光ディスクメディア１０３は、搬送トレイ１０２に設けられたフック溝１０４に２つのフック１０６を引っ掛け、図１０に図示した矢印Ｃ方向に動作するフック１０６によって引き出される。
【００７０】
図１２は、搬送トレイ１０２に搭載された光ディスクメディア１０３が引き出されたときの状態を示す断面図である。その後、光ディスクメディア１０３は、書き込み部１１０において、書き込み部１１０の上下動作（図１０の矢印Ｄ方向の動作）を利用して穴１０５に図１０に図示した回転軸１０７が勘合され、搬送トレイ１０２はマガジン１００に戻される。１１１は、光ディスクメディア１０３が回転軸１０７に勘合されても搬送トレイ１０２をマガジン１００に戻すことができるようにするための搬送トレイ１０２に設けられた切り欠き部である。
【００７１】
図１０に図示した回転軸１０７に穴１０５を勘合した後、光ディスクメディア１０３はその記録層に図１０に図示したピックアップ１０８から発せられるレーザ光によって情報書き込みを行う。ピックアップ１０８によって情報が書き込まれた後、前述の搬送動作で説明した手段と同等の図示しない手段によって、搬送動作と逆の動作によって図１０の矢印Ｂの方向に搬送、排出されて作業が終了する。
【００７２】
以上に、本発明の光ディスクドライブユニットに情報を書き込むための光ディスクメディアを供給、搬送する手段の１例を示したが、本発明の光ディスクメディアは必ずしもこのような、円盤型（外径１２０ｍｍ、厚さ１.２ｍｍ、穴径１５ｍｍ、記憶容量ＣＤフォーマットで６５０ＭＢもしくは７００ＭＢ）に限られるものではない。同じ円盤型であっても、外径８０ｍｍで記憶容量がＣＤフォーマットで１８５ＭＢのものや、矩形形状で名刺サイズの５８ｍｍ×８６ｍｍ×１ｍｍで記憶容量がＣＤフォーマットで１８ＭＢ〜５０ＭＢのもの、さらには、星型、卵型、その他任意の形状の外形形状、寸法の光ディスクメディアが適用される。
【００７３】
また、その記憶容量も、７８０ｎｍのレーザ波長を用いるＣＤフォーマットで２０ＭＢ〜７００ＭＢ、６３５ｎｍ／６５０ｎｍのレーザ波長を用いるＤＶＤフォーマットで４.７ＧＢ〜１７ＧＢ、さらには、４０５ｎｍ波長の青色レーザを使用するＢｌｕ−ｒａｙ  Ｄｉｓｃ（あるいはＨＤ  ＤＶＤ）等のフォーマットで、２３.３ＧＢ〜２７ＧＢ（ＨＤ  ＤＶＤは片面１５ＧＢ、両面３０ＧＢ）といったものまでその用途に応じて選択、使用すればよい。
【００７４】
なお、記録密度、容量の他に、原理的な違いで見ると、データ記録層に感光性の有機色素（シアニン系、フタロシアニン系、アゾ系、スクアリリウム系等）を使用し、この色素に読み取り用よりも強いレーザ光を当て、色素に半永久的な反射率の変化を起こさせ、この変化を記録データとする１回だけ書き込み可能なＲ（Ｒｅｃｏｒｄａｂｌｅ）メディアと呼ばれるものがある。
【００７５】
記録フォーマット、容量の違いにより、ＣＤ−Ｒ、ＤＶＤ−Ｒ、ＤＶＤ＋Ｒ等がある。色素の反射率変化は半永久的で、非可逆性の反応であるため、１回の書き込みしかできないが、有機色素を使用し、室内でスピンコーティング等によって記録層を形成できるため、量産性に優れ、後述の書き換え可能なメディアに比べて生産コストが安いというメリットがある。また、アーカイブ的な使用に好適なメディアであり、記録データの修正の必要がない場合、あるいは改ざんされると困る場合に、大変好都合に使用されるメディアである。
【００７６】
また、メディア１枚あたりの値段が安いため、本発明のように、紙文書を出力すると同時に、そのデータ（ファイル等）を電子データとしてこのＲメディアに書き込んで、大勢の人に配布したりするという使用法に大変都合がよい。
【００７７】
さらに、他の光メモリメディアとしては、データ記録層に結晶とアモルファスの相変化が可能な材料を利用するＲＷ（ＲｅＷｒｉｔａｂｌｅ）メディアと呼ばれるものがある。このような材料としては、例えば、Ａｇ−Ｉｎ−Ｓｂ−Ｔｅ（銀−インジウム−アンチモン−テルル）の四元素の合金がある。
【００７８】
結晶相を一気に融点にまで昇温し、不規則な原子の状態をつくり出す。これがアモルファス状態で、つぎに、この状態を急速に冷却すると、原子はばらばらな状態でフリーズされ、温度が下がってもアモルファス相が形成されている。
【００７９】
一方、融点には至らない、やや中間的なレベルにまで昇温しておいて比較的ゆっくり冷えるように温度管理をしてやると、今度は原子が元の状態に組み替わることができ、結晶相が形成される。データを消去する場合には、このようにして結晶相に変化させる。
【００８０】
アモルファスとは原子の配列が乱雑な状態で、結晶と比べて反射率が低くなる。この変化をピットとランドとしている。ＲＷメディアには、この２つの温度を再現できるように、出力の異なったレーザが備えつけられている。
この結晶とアモルファスの相変化は、可逆的に反応させることができるので、前述のＲメディアとは異なり、再書き込みができるという特徴がある。
このメディアの場合も、記録フォーマット、容量の違いにより、ＣＤ−ＲＷ、ＤＶＤ−ＲＷ、ＤＶＤ＋ＲＷ等がある。
なお、前述の青色レーザを使用するさらには４０５ｎｍ波長の青色レーザを使用するＢｌｕ−ｒａｙ  Ｄｉｓｃ、あるいはＨＤ  ＤＶＤ等も、同様に、非可逆性の反応あるいは可逆性の反応を利用した材料を使用し、Ｒメディア、ＲＷメディアが実現でき、本発明に好適に使用できる。
【００８１】
ところで、このような光メモリは、図９等に示したように、ある数量の光ディスクメディアを収納したマガジン単位で供給されるが、高速書き込みを必要とするような場合には、このマガジンにストックされている光ディスクメディアをあらかじめ、フォーマット化したメディアとするのがよい。
【００８２】
例えば、ＣＤの例で説明するならば、Ｗｉｎｄｏｗｓ（登録商標）でＣＤ−Ｒに書き込みを行う場合、各種のＯＳ別論理フォーマット（Ｒｏｍｅｏ、Ｊｏｌｉｅｔ、ＲｏｃｋＲｉｄｇｅ、ＩＳＯ９６６０など）がある。本発明のＭＦＰにおいては、毎回、データ書き込みを行うたびに、光ディスクメディアをフォーマット化するのではなく、例えば、たいていのＯＳで読めるようなＩＳＯ９６６０レベル１にあらかじめフォーマット化してある光ディスクメディアをマガジンに収納しておく。それにより、使用時にフォーマット書き込みに要する時間が不要となり、データ書き込みがすぐに行え、情報が書き込まれた光ディスクメディアの作成時間を短縮することができる。
【００８３】
通常、最もよく使用するフォーマットはあらかじめフォーマット化した光ディスクメディアが即使えるような状態にして供給する（フォーマット化した光ディスクメディアをドライブのピックアップ部分に設置する）ようにしておけばよいが、場合によっては、そのフォーマットとは違うフォーマットで書き込みたい場合も出てくる。そのような点を考慮し、光ディスクメディアの供給手段を２系統にしておくのもよい方法である。
【００８４】
例えば、通常、最もよく使用するフォーマットは、フォーマット済みで供給し、他のフォーマットで書き込みたい場合を想定した未フォーマットのものを準備しておき、それは光ディスク作成に多少時間が余計にかかっても、フォーマット化ならびにデータ書き込みを本発明のＭＦＰ（内の書き込みドライブ）で行うという使い方である。
【００８５】
フォーマット化済みあるいは未フォーマットの光ディスクメディアは、それぞれ、図９に示すように、複数枚ずつマガジンに収納して供給してもよいし、あるいは、通常最もよく使用するフォーマットのもののみ、このような複数枚ずつマガジンに収納して供給し、たまにしか使用しないような特殊フォーマットで書き込むような場合は、頻度が少ないので１枚ずつ手差し供給するようにしてもよい。
【００８６】
以上、本発明に適用される純粋な光メモリを中心に説明をしたが、他の光メモリとして本発明に好適に使用できるものとして、ＭＯとして知られる光磁気ディスク（Ｍａｇｎｅｔｏ  Ｏｐｔｉｃａｌ  Ｄｉｓｋ）、光磁気メモリがある。容量は、１２８ＭＢ、２３０ＭＢ、６４０ＭＢ等あり、使用用途によって適宜選ばれる。
【００８７】
動作原理は、磁性体でできたディスクの記録層（磁性体の材料として、各種磁性ガーネットやマンガン・ビスマス合金、バリウム系フェライトなどを使用）にレーザ光を照射して加熱し、約２００度に温度が上がったところで、磁界をかけて磁性体の向きを変えて書き込み（記録）を行い、データを読み出す際には、書き込み時よりも低出カのレーザ光を照射し、その反射光の違いを検知することによってデータを読み出すというものである。
【００８８】
ＭＯは、磁気の影響を受けない、ヘッドクラッシュがないなどの理由から、信頼性が高く、前述の光メモリ同様、本発明の情報入出力装置に組み込まれる可搬性の記憶メディアとして大変好適なメディアである。
以上、本発明に適用される各種光メモリの代表例を説明したが、本発明はここにあげた例に限定されるものではない。
【００８９】
本発明のポイントは、情報の出力、記憶（記録）という場面において、紙メディアと可搬性の電子情報記憶／記録メディアとの融合を目指し、それらが互いに関連付けられるとともに、その機能を果たす１台の装置（あるいは一箇所にシステム構成された装置）としてまとめあげられ、紙メディアへの情報出力（プリントアウト）がなされると同時、もしくは、必要に応じて、該情報を可搬性の電子情報記憶／記録メディアである光メモリへ記録し、それらを１台の装置（もしくは一箇所にシステム構成された装置）で受け取ることができるというものである。つまり、紙のプリントアウト書類と情報書き込み後の光メモリを１台の装置から、もしくは（分散配置された別々の装置からはなく）一箇所で受け取ることができるというものである。
【００９０】
次に、本発明の他の特徴について説明する。本発明では前述のように光メモリ／光ディスクに紙メディアに出力したデータを記憶、記録するものであるが、このような光メモリ／光ディスクは、外部から見た場合には、何が記憶されているかわからない。よって、少なくとも出力された紙メディア（プリントアウト文書）と対応付けができる程度の簡単な情報を付与し、それが外部から見られる（光メモリ／光ディスクをドライブ装置等にかけて内部の情報を読み取るのではなく、そのものを見て目視確認できる）ようにしておく必要がある。
【００９１】
本発明ではこの点に鑑み、光メモリ／光ディスクの表面に目視情報を記録するようにしている。具体的には、紙メディアに色材を付与する手段であるインクジェット原理による出力手段を利用している。インクジェット原理による記録は非接触記録、直接記録であり、被記録体が紙のようなものに限定されることなく、立体的なものにでも記録できる。よって、本発明で使用する各種光メモリ／光ディスクであってもその表面に容易に情報を出力（記録）できる。具体的には、各種光メモリ／光ディスクを、それぞれに適した搬送手段、例えば光ディスクの場合、図１０等に示したような手段で、インクジェット記録ヘッド部分（インクジェット出力を行う部分）に搬送することによって、所望の情報を光メモリ／光ディスク表面に書き込むことができる。その際、より好ましくは、各種光メモリ／光ディスクの表面にインクが付着しやすくなるように、あるいは、にじんだりしない良好な画素が得られるように、インクが付着する表面にインク受容層を形成したほうがよい。
【００９２】
例えば、ポリカーボネート樹脂よりなる光ディスク表面にインクジェット記録を行っても、インクの密着力があまりないため、手で触っただけで記録情報が消えてしまうということがよくある。そのようなことを回避するために、インク受容層をポリカーボネート樹脂表面に形成しておくわけである。具体的には、炭酸カルシウム（ＣａＣＯ3）等の微粉末層をバインダー樹脂とともにインク受容層として形成する。
【００９３】
他の例として、このように各種光メモリ／光ディスクに直接記録するのではなく、表面に紙ラベルのようなものを設けて、その上に記録を行うようにしてもよい。この場合、記録済みの紙ラベルを別途用意して各種光メモリ／光ディスクに貼り付けてもよいし、紙ラベルを貼った各種光メモリ／光ディスクを、適宜インクジェット記録部に搬送して、その紙ラベル面に記録してもよい。なお、このラベルは紙に限定されるものではなく、樹脂フィルムであってもよいがその場合は、以下に述べるように、光ディスク表面の材質に準じたインクを選ぶようにする。表面に前述のようなインク受容層を設けたようなラベルであれば、樹脂フィルムラベルであっても紙に準じた扱いができる。
【００９４】
一般に、インクジェット原理で紙メディアに記録する場合、インクとしては水を溶媒の主成分とした水性系インクが使用されるが、光ディスク表面、すなわち、ポリカーボネート等のプラスチックに直接記録を行うような場合は、通常の紙の繊維の中にインクがしみこんでいくわけではなく、乾燥に時間がかかるため、溶剤系インク、油性インクを使用するほうがよい。あるいは、ＵＶ硬化型インクを使用するほうがよい。ただし、これも、インク受容層の有無、光ディスク表面に直接記録を行う／ラベルに記録を行う、ラベルの材質（紙／樹脂フィルム）、使用するインクジェット原理（サーマルインクジェット方式／ピエゾを利用したオンデマンド方式）によって適宜最適なインクあるいはそれに使用するインクジェット原理を選ぶようにする。
【００９５】
なお、このように、本発明では、非接触で被記録体の形状などを選ばず、どんなものにでも記録を行うことができるインクジェット原理を利用して、光メモリの表面に記録を行うものであるが、ここで、このインクジェット原理の記録ユニットは、紙メディアに記録するためのものを使用してもよいし、別途、光メモリの表面に記録を行う専用の第２のインクジェット原理の記録ユニットを設けてもよい。
【００９６】
図１３にその例を示す。これは、電子写真原理とインクジェット原理の出力手段よりなるＭＦＰに光ディスクドライブユニットを組み込み、さらに光メモリの表面に記録を行う第２のインクジェット原理の記録ユニットとして、光メモリ用専用インクジェット記録部９０を設けている。このように、紙メディアに記録するためのものと光メモリの表面に記録を行うものとをそれぞれ独立に設けることにより、紙メディアあるいは光メモリをその記録部分に搬送する搬送手段を兼用にしなくてよいので、単純な搬送系とすることができ、装置の単純化をはかることができる。
【００９７】
本発明は、このように、インクジェット原理によって、光メモリの表面に記録を行うものであるが、このような構成において注意しなければならない点は、インクジェット原理の記録を行うということは液体（通常インク）を使用することであり、この液体が不慮の事故により、光ディスクドライブユニットの書き込み系（図１０のピックアップ１０８参照）を濡らしたりしないようにすることである。
【００９８】
本発明では、この点に考慮し、例えば、図１３の例では、光メモリ用専用インクジェット記録部９０を光ディスクドライブユニット８５の下方に配置し、光ディスクドライブユニット８５でインクによる冠水が生じないようにしている。
【００９９】
本発明は、図１３の構成例に限定されるわけではなく、さまざまな配置が考えられるが、図１０に示したピックアップ１０８にインクが飛散したり、染み出していってそこを濡らすということのないように、光メモリの表面に記録を行うためのインクジェット原理による記録手段のインクが飛翔する範囲を光メモリに所望の情報を書き込む出力部（ピックアップ１０８）から離したように構成、配置することが本発明のポイントである。
【０１００】
次に、本発明のさらに他の特徴について説明する。本発明の情報入出力装置は紙を扱うため、その紙粉やトナー、インクなどが常時装置内、あるいは装置近傍に漂っている環境にある。よって本発明の光メモリ等のストレージに記録を行う半導体レーザおよびその光学系よりなるピックアップユニット（図１０の１０８参照）は、紙粉やトナー、インクなどによって汚れやすいという宿命にある。
【０１０１】
さらに、本発明の半導体メモリのように電気的入出力で、情報の書き込み／読み出し（出力）を行うものと違って、光メモリ等のストレージは、ピックアップユニットとストレージが物理的に分離していて、機械的動作を行うという動作原理そのものに起因するものであるが、故障しやすい（レーザダイオードの寿命あるいは機械動作部分の故障）という性格もある。とりわけ、本発明に特有な紙粉やトナー、インクなどの浮遊は、機械的動作の故障を引き起こす重要因子である。
【０１０２】
そこで、本発明では、これら汚れ、あるいは故障等による、信頼性の低さを補償するために、ピックアップユニットをドライブ部分から着脱可能とし、故障したり、レンズ等の光学系が汚れたりして、使用に支障をきたす場合に簡単に交換、あるいはレンズ部分の清浄化ができるようにしている。
【０１０３】
このように、ＭＦＰ内に、このような光メモリ等のストレージを有するような本発明の場合、紙粉やトナー、インクなどによる光学系の汚染、あるいはピックアップユニットの機械的動作部分の故障があっても、これを着脱交換できるようにしているので、簡単に機能回復できるという利点がある。
【図面の簡単な説明】
【０１０４】
【図１】本発明の実施形態に係る潜像担持体としての感光体ドラムをタンデム配列した乾式二成分現像方式のフルカラー作像装置の画像形成部を示す図である。
【図２】本発明の実施形態に係る潜像担持体としての感光体ドラムをタンデム配列した乾式二成分現像方式のフルカラーの画像形成装置全体を示す図である。
【図３】本発明の実施形態に係るインクジェット原理の記録装置の一例を説明するための図である。
【図４】本発明の実施形態に係るサーマルインクジェット方式におけるインク噴射の動作原理を説明するための図である。
【図５】本発明の実施形態に係るインクジェット記録の印写動作の構成の一例を説明するための図である。
【図６】本発明の１構成例として、電子写真原理とインクジェット原理の出力手段を組み合わせた構成を示す図である。
【図７】本発明のプリンタ部、光メモリ、スキャナ、ハードディスク等の電気処理部の詳細説明図である。
【図８】本発明の１構成例として、ＭＦＰに光ディスクドライブユニットを組み込んだ構成を示す説明図である。
【図９】本発明に適用される情報書き込み前の光ディスクメディアを複数枚収納したマガジンの外観斜視図である。
【図１０】本発明に適用される光ディスクドライブユニットに光ディスクメディアを装着、情報書き込み、排出の動作原理を説明する図である。
【図１１】マガジン挿入後の光ディスクメディアを書き込み部に搬送する動作を説明するための図である。
【図１２】搬送トレイに搭載された光ディスクメディアが引き出されたときの状態を示す断面図である。
【図１３】本発明の１構成例として、電子写真原理とインクジェット原理の出力手段よりなるＭＦＰに光ディスクドライブユニットを組み込み、さらに専用のインクジェット原理の記録部を組み込んだ構成を示す図である。
【符号の説明】
【０１０５】
１…画像形成部、２…給紙部、３…読み取り部、４…排紙トレイ、５…中間転写ベルト、６…作像部、７…露光装置、８…定着装置、９…両面装置、１０…インク、１１…発熱体、１２…気泡、１３…インク滴、２０…記録紙、２１…給紙トレイ、２３…レジストローラ、２４…底板、２５…ピックアップローラ、２６…給紙ローラ、２７…縦搬送路、３１…コンタクトガラス、３２…第１の走行体、３３…第２の走行体、３４…レンズ、３５…ＣＣＤ、３６…自動原稿搬送装置、４１…排紙ローラ、５１…２次転写装置、５２…中間転写ベルトクリーニング装置、６１…感光体、６２…帯電装置、６３…現像装置、６４…感光体クリーニング装置、６５…露光部、６６…１次転写装置、６７…ヘッドユニット、６８…ヘッドチップ、６９…ＦＰＣ、７０…インク容器部、７１…裏蓋、７２…インク吸収体、７３…記録紙、７４…インクジェットヘッドユニット、７５…ノズル、７６…キャリッジ、７７…ガイドロッド、７８…ネジ棒、７９…記録紙搬送ローラ、８０…記録紙押えコロ、８１…分岐爪、８２…ジャム紙排紙トレイ、８４…手差しトレイ、８５…光ディスクドライブユニット、８６…メディアストック部、８７…給紙カセット、８８…インクジェット記録部、８９…インクジェット記録排紙トレイ、９０…光メモリ用専用インクジェット記録部、９１…分岐部、９２…反転排紙経路、１００…マガジン、１０１…三角形の方向表示印、１０２…搬送トレイ、１０３…光ディスクメディア、１０４…フック溝、１０５…穴、１０６…フック、１０７…回転軸、１０８…ピックアップ、１０９…光ディスクドライブユニット、１１０…書き込み部、１１１…切り欠き部、３０１…ＣＰＵ、３０２…ＲＡＭ、３０３…ＲＯＭ、３０４…ローカルバス、３０５…Ｉ／Ｏバス、３０６…ブリッジ回路、３０７…プリンタ部、３０８…プリンタインターフェース部、３０９…光ディスクドライブ、３１０…光ディスクドライブインターフェース部、３１１…スキャナ部、３１２…スキャナインターフェース部、３１３…ハードディスクドライブ、３１４…ＩＤＥインターフェース部、３１５…ネットワークインターフェースコントローラ、３１６…イメージプロセッシングユニット、３１７…ラスタイメージプロセッサ、３１８…ビデオＲＡＭ、３１９…ビデオインターフェース部、３２０…拡張Ｉ／Ｏインターフェース部。
【図１】
2006198792.tif 000003
【図２】
2006198792.tif 000004
【図３】
2006198792.tif 000005
【図４】
2006198792.tif 000006
【図５】
2006198792.tif 000007
【図６】
2006198792.tif 000008
【図７】
2006198792.tif 000009
【図８】
2006198792.tif 000010
【図９】
2006198792.tif 000011
【図１０】
2006198792.tif 000012
【図１１】
2006198792.tif 000013
【図１２】
2006198792.tif 000014
【図１３】
2006198792.tif 000015